(57)【要約】      （修正有）【課題】種々の条件における微生物の活性を簡易かつ迅速に直接測定することが可能な微生物活性測定センサ及び微生物活性の評価方法を提供する。【解決手段】陽イオン交換膜２０で仕切られた第１のセル１１及び第２のセル１２と、各セルに配置された電極と、電極に対し電気的な信号を印加及び／又は観測する電気化学計測器４０とを備え、測定対象となる微生物を一方のセルに投入し、かつ少なくとも微生物が投入されるセルにはメディエータＭを添加することを特徴とする微生物活性測定センサ及び微生物活性の評価方法。【選択図】図１
2019100910.tif 000002
【特許請求の範囲】
【請求項１】
微生物の活性を測定する微生物活性測定センサであって、
陽イオン交換膜で仕切られた第１及び第２のセルと、
前記各セルに配置された電極と、
前記電極に対し、電気的な信号を印加及び／又は観測する電気化学計測器とを備え、
測定対象となる微生物を一方のセルに投入し、かつ少なくとも微生物が投入されるセルにはメディエータを添加することを特徴とする、微生物活性測定センサ。
【請求項２】
前記電気化学計測器がポテンショスタットを含み、
前記電気化学計測器から得られた電気化学的応答を演算処理する演算処理部と、
前記演算処理部で処理した結果を表示する表示部をさらに備えることを特徴とする、請求項１に記載の微生物活性測定センサ。
【請求項３】
前記電気化学計測器で得られる電気化学的応答が、リニアスイープボルタンメトリー測定による短絡電流の値であり、
前記演算処理部では、前記短絡電流の基準値を定め、前記短絡電流の基準値と測定値との比較に基づき、微生物の活性を判定することを特徴とする、請求項２に記載の微生物活性測定センサ。
【請求項４】
前記電気化学計測器で得られる電気化学的応答が、前記電極間を短絡させた後、有機物を添加して測定した自然電位の経時変化であり、
前記演算処理部では、前記自然電位の経時変化の傾きにより、微生物の活性を判定することを特徴とする、請求項２に記載の微生物活性測定センサ。
【請求項５】
微生物の活性を評価する方法であって、
陽イオン交換膜で仕切られた第１及び第２のセルのいずれか一方に、測定対象となる微生物を投入し、かつ少なくとも微生物が投入されるセルにはメディエータを添加する試料調製工程と、
前記各セルに電極を配して、電気的な信号を印加及び／又は観測する電気化学計測器によって、電気化学的応答を得るデータ収集工程と、を含むことを特徴とする、微生物活性の評価方法。
【請求項６】
前記データ収集工程で得られた電気化学的応答を演算処理する演算工程を含み、
前記電気化学的応答が、リニアスイープボルタンメトリー測定による短絡電流の値であり、
前記演算工程では、前記短絡電流の基準値を定め、前記短絡電流の基準値と測定値との比較に基づき、微生物の活性を判定することを特徴とする、請求項５に記載の微生物活性の評価方法。
【請求項７】
前記データ収集工程で得られた電気化学的応答を演算処理する演算工程を含み、
前記電気化学的応答が、前記電極間を短絡させた後、有機物を添加して測定した自然電位の経時変化であり、
前記演算工程では、前記自然電位の経時変化の傾きにより、微生物の活性を判定することを特徴とする、請求項５に記載の微生物活性の評価方法。
【請求項８】
前記試料調製工程には、脱酸素処理が含まれていることを特徴とする、請求項５〜７のいずれか一項に記載の微生物活性の評価方法。
【発明の詳細な説明】
【技術分野】
【０００１】
本発明は、微生物活性測定センサ及び微生物活性の評価方法に関するものである。
【背景技術】
【０００２】
下水や汚水等の有機性排水を処理する方法として、活性汚泥を用いた方法が知られている。活性汚泥法では、活性汚泥に含まれる微生物により排水中の有機成分が分解されて処理される。活性汚泥を用いた水処理では、排水の汚濁度を化学的酸素要求量（ＣＯＤ）又は生化学的酸素要求量（ＢＯＤ）に換算し、水質の汚染状態を監視する。従来のＢＯＤの測定方法は、長時間かかるため、種々のＢＯＤ測定用センサが開発されている。
【０００３】
例えば、特許文献１には、陽極及び陰極、陽極及び陰極の伝導媒体、並びに両電極間のイオン交換膜を含む無媒介体生物燃料電池からなり、陰極部には電気化学的活性菌を含有する試料を添加するＢＯＤ測定用バイオセンサ及びこのバイオセンサを用いたＢＯＤ測定方法が記載されている。
また、特許文献１には、陽極及び陰極、陽極及び陰極の伝導媒体、並びに両電極間のイオン交換膜を含む無媒介体生物燃料電池からなり、陰極部には所定の有機物を代謝する電気化学的活性菌を含有させた有機物濃度測定用バイオセンサ及びこのバイオセンサを用いた有機物濃度測定方法についても記載されている。
【先行技術文献】
【特許文献】
【０００４】
【特許文献１】特許第３５５７５２８号
【発明の概要】
【発明が解決しようとする課題】
【０００５】
特許文献１のような微生物燃料電池の構成を活用したバイオセンサは、排水中の有機成分の濃度やＢＯＤを測定するものであり、種汚泥等の微生物の活性を測定するものではない。一方、活性汚泥法による最適な処理条件を維持管理するためには、排水に添加するための微生物の活性を簡便かつ迅速に測定できることが求められる。
【０００６】
本発明の課題は、微生物の活性を簡易かつ迅速に直接測定することが可能な微生物活性測定センサ及び微生物活性の評価方法を提供することである。
【課題を解決するための手段】
【０００７】
本発明者は、上記の課題について鋭意検討した結果、微生物燃料電池セルの構成において、メディエータを用いることで微生物の代謝に基づく電気化学的応答の測定を可能とし、微生物の活性を測定することが可能な微生物活性測定センサの構成及び微生物活性の評価方法を見出して、本発明を完成した。
すなわち、本発明は、以下の微生物活性測定センサ及び微生物活性の評価方法である。
【０００８】
上記課題を解決するための本発明の微生物活性測定センサは、微生物の活性を測定する微生物活性測定センサであって、陽イオン交換膜で仕切られた第１及び第２のセルと、前記各セルに配置された電極と、前記電極に対し、電気的な信号を印加及び／又は観測する電気化学計測器とを備え、測定対象となる微生物を一方のセルに投入し、かつ少なくとも微生物が投入されるセルにはメディエータを添加するという特徴を有する。
本発明の微生物活性測定センサは、微生物燃料電池セルの構成においてメディエータを用いることで、微生物の代謝に基づく電子を電極に流すことができるようになり、微生物活性を電気化学的応答として測定することが可能となる。また、本発明の微生物活性測定センサによれば、電極を電子受容体として利用できる電気化学的活性菌以外の微生物の活性も測定することができるため、活性汚泥等の種々の微生物を含むものの総合的な活性を直接的に測定することが可能となる。
【０００９】
また、本発明の微生物活性測定センサの一実施態様としては、電気化学計測器がポテンショスタットを含み、電気化学計測器から得られた電気化学的応答を演算処理する演算処理部と、演算処理部で処理した結果を表示する表示部をさらに備えるという特徴を有する。
この特徴によれば、電位掃引が可能なポテンショスタットを用いることで、微生物の代謝による電子放出を強制的に促し、微生物の活性に基づく電気化学的応答を得ることが可能となる。また、得られた電気化学的応答を演算処理して、その演算結果を表示することで、センサとして簡便かつ迅速な微生物活性測定が可能となる。
【００１０】
また、本発明の微生物活性測定センサの一実施態様としては、電気化学計測器で得られる電気化学的応答が、リニアスイープボルタンメトリー測定による短絡電流の値であり、演算処理部では、短絡電流の基準値を定め、前記短絡電流の基準値と測定値との比較に基づき、微生物の活性を判定するという特徴を有する。
この特徴によれば、微生物の活性に係るパラメータとして、電位掃引により０Ｖとした際の応答電流である短絡電流の値を用い、この短絡電流の基準値を定め、前記短絡電流の基準値と測定値との比較を行うことで、微生物の現状の活性を簡便かつ迅速に直接判定することが可能となる。
【００１１】
また、本発明の微生物活性測定センサの一実施態様としては、電気化学計測器で得られる電気化学的応答が、電極間を短絡させた後、有機物を添加して測定した自然電位の経時変化であり、演算処理部では、自然電位の経時変化の傾きにより、微生物の活性を判定するという特徴を有する。
この特徴によれば、微生物の活性に係るパラメータとして、一度電極間を短絡させることで電子を放出した微生物に対して、有機物を添加した際の自然電位の経時変化に係る傾きを用い、この自然電位の経時変化の傾きと微生物活性の間にある相関関係から、微生物が所定の有機物と反応する際の活性を簡便かつ迅速に判定することが可能となる。
【００１２】
上記課題を解決するための本発明の微生物活性の評価方法は、陽イオン交換膜で仕切られた第１及び第２のセルのいずれか一方に、測定対象となる微生物を投入し、かつ少なくとも微生物が投入されるセルにはメディエータを添加する試料調製工程と、各セルに電極を配して、電気的な信号を印加及び／又は観測する電気化学計測器によって、電気化学的応答を得るデータ収集工程とを含むという特徴を有する。
本発明の微生物活性の評価方法は、微生物燃料電池セルの構成においてメディエータを用いることで、微生物の代謝に基づく電子を電極に流すことができるようになり、微生物活性を電気化学的応答という形でデータ収集することが可能となる。また、本発明の微生物活性の評価方法によれば、電極を電子受容体として利用できる電気化学的活性菌以外の微生物の活性も測定することができるため、活性汚泥等の種々の微生物を含むものの総合的な活性を直接的に評価することが可能となる。
【００１３】
また、本発明の微生物活性の評価方法の一実施態様としては、データ収集工程で得られた電気化学的応答を演算処理する演算工程を含み、電気化学的応答が、リニアスイープボルタンメトリー測定による短絡電流の値であり、演算工程では、短絡電流の基準値を定め、前記短絡電流の基準値と測定値との比較に基づき、微生物の活性を判定するという特徴を有する。
この特徴によれば、電気化学的応答として電位掃引により０Ｖとした際の応答電流として得られる短絡電流の値を、微生物の活性に係るパラメータとして用い、この短絡電流の基準値を定め、この基準値と測定値を比較することで、微生物の現状の活性を簡便かつ迅速に直接評価することが可能となる。
【００１４】
また、本発明の微生物活性の評価方法の一実施態様としては、データ収集工程で得られた電気化学的応答を演算処理する演算工程を含み、電気化学的応答が、電極間を短絡させた後、有機物を添加して測定した自然電位の経時変化であり、演算工程では、自然電位の経時変化の傾きにより、微生物の活性を判定するという特徴を有する。
この特徴によれば、一度電極間を短絡させることで電子を放出した微生物に対して、有機物を添加した際の自然電位の経時変化に係る傾きを、微生物の活性に係るパラメータとして用いることで、この自然電位の経時変化の傾きと微生物活性の間にある相関関係から、微生物が所定の有機物と反応する際の活性を簡便かつ迅速に判定することが可能となる。
【００１５】
また、本発明の微生物活性の評価方法の一実施態様としては、試料調製工程には、脱酸素処理が含まれているという特徴を有する。
この特徴によれば、セル内の酸素と微生物の代謝により発生する電子とが反応して、電子が消費されることがなくなり、より正確な測定を行うことができる。
【発明の効果】
【００１６】
本発明によれば、微生物の活性を簡易かつ迅速に直接測定することが可能な微生物活性測定センサ及び微生物活性の評価方法を提供することができる。
【図面の簡単な説明】
【００１７】
【図１】本発明に係る微生物活性測定センサの構造を示す概略説明図である。
【図２】本発明の第１の実施態様に係るリニアスイープボルタンメトリー測定から得られる電位−電流グラフである。
【図３】本発明の第１の実施態様に係る対象微生物の生菌数と短絡電流値との関係を示したグラフである。対象微生物が通性嫌気性菌（Escherichia coli）の場合の結果である。
【図４】本発明の第１の実施態様に係る対象微生物の生菌数と短絡電流値との関係を示したグラフである。対象微生物が好気性菌（Rhodococcus erythropolis）の場合の結果である。
【図５】本発明の第２の実施態様に係る自然電位測定の経時変化を示す電位−時間グラフである。
【発明を実施するための形態】
【００１８】
以下、図面を参照しつつ本発明に係る微生物活性測定センサ及び微生物活性の評価方法の実施態様を詳細に説明する。
なお、実施態様に記載する微生物活性測定センサについては、本発明に係る微生物活性測定センサ及び微生物活性の評価方法を説明するために例示したにすぎず、これに限定されるものではない。
【００１９】
［微生物活性測定センサの構成］
図１には、本発明の微生物活性測定センサの概略説明図が図示されている。
本発明に係る微生物活性測定センサ１は、微生物群の微生物活性を測定するための測定センサであり、図１に示すように、第１のセル１１及び第２のセル１２と、セル１１、１２の間を仕切る陽イオン交換膜２０と、セル１１、１２にそれぞれ配置された電極３１、３２と、電極３１、３２に接続した電気化学計測器４０とを設けたものである。
また、微生物活性測定センサ１０には、電気化学計測器４０で得られたデータを演算処理するための演算処理部５０と、演算処理の結果を表示する表示部６０とを備えている。
【００２０】
セル１１、１２及び電極３１、３２は、電気化学分野に係る公知の構成であれば、特に素材や形状は問わない。なお、微生物燃料電池として用いられる構成を利用するものであってもよい。
また、陽イオン交換膜２０は、水素イオンを透過することのできる公知の構成であればよく、特に限定するものではない。なお、微生物燃料電池として用いられる構成を利用するものであってもよい。
【００２１】
電気化学計測器４０は、電極３１、３２に対して電気的な信号を印加及び／又は観測する構成であり、本実施態様では、電極３１を作用極、電極３２を対極及び参照極とした２電極式の測定が可能なものとする。また、電気化学計測器４０として電位掃引を行うことのできるポテンショスタットを含むものであることが望ましい。
ポテンショスタットは、電圧を測定・制御するための装置であり、作用極の電位を掃引して作用極に流れる応答電流を測定し、応答電流と電位差（参照極の電位と作用極の電位の差）との関係を求めることができるものである。また、電位の掃引方法としては、リニアスイープボルタンメトリー（ＬＳＶ）、サイクリックボルタンメトリー、クロノクーロメトリーなどが知られているが、本発明では特にＬＳＶ測定を用いるものである。
【００２２】
演算処理部５０は、電気化学計測器４０で測定された電気化学的応答を基に解析を行うものである。例えば、解析に必要なプログラムをＣＰＵ等のプロセッサにより実行する計算装置である
また、表示部６０は、演算処理部５０における判定結果を数値または画像として出力できるモニターである。
【００２３】
［試料調製］
一方のセル１１に活性測定対象となる対象微生物Ｂを導入し、同じセル１１内にメディエータＭを添加する。
メディエータＭは、対象微生物Ｂの代謝により発生する電子を受け取り、受け取った電子を電極３１に渡すものである。メディエータＭの具体例としては、例えば、メチレンブルー、フェリシアン化カリウム、ニュートラルレッドなどが挙げられる。
なお、もう一方のセル１２に、メディエータＭとは別のメディエータＭ′を添加してもよい。
【００２４】
また、対象微生物Ｂを導入したセル１１内に酸素が存在すると、対象微生物Ｂの代謝により発生する電子と酸素とが反応してしまい、正確な測定ができなくなる。そのため、セル１１内を無酸素状態とする必要がある。よって、メディエータＭはあらかじめ脱気、窒素置換あるいは脱酸素剤で処理したものをセル１１内に添加する。また、対象微生物Ｂを活性汚泥とする場合、活性汚泥からの酸素の持ち込みをなくすために、汚泥を静置して固液分離後に上清を捨て、さらに脱気、窒素置換、脱酸素剤などの脱酸素処理を行ってもよい。特に、好気汚泥を対象微生物Ｂとする場合には、この脱酸素処理を行うことが望ましい。
【００２５】
対象微生物Ｂとしては、代謝により発生する電子を、メディエータＭを介して間接的にあるいは直接的に電極３１に受け渡すことが可能であれば、特に制限されない。例えば、通性嫌気性菌や偏性嫌気性菌等の嫌気性環境下で生育可能な嫌気性菌や、好気性環境下のみで生育可能な好気性菌等が挙げられる。正確な測定が可能であるという観点から、対象微生物Ｂとして、嫌気性菌を使用することが好ましい。
【００２６】
［微生物活性の測定］
本発明の微生物活性の測定は、微生物群の代謝により発生する電子がメディエータを介して電極に伝達され、電極間に電子が流れることを利用するものである。このとき流れる電子の量は微生物の活性と相関関係にあると考えられるため、本発明の微生物活性測定センサによる電気化学的応答を用いることで、微生物の活性を評価することが可能となる。微生物活性の評価の観点としては、対象微生物の現状の活性を直接評価するものと、対象微生物が所定の有機物（代表基質）と反応する際の活性を評価するものが挙げられる。
【００２７】
なお、本発明の微生物活性の測定は、微生物の活性を測定するだけでなく、有機性排水の有機成分濃度やＢＯＤの測定に利用することも可能である。例えば、所定の活性を有する微生物を用いて、微生物活性を測定することにより、その結果から有機性排水の有機成分濃度やＢＯＤを換算することができる。本発明の微生物活性測定センサによれば、電極を電子受容体として利用できる電気化学的活性菌以外の微生物の活性も測定するため、有機性排水の有機成分濃度やＢＯＤへの換算において、高精度の結果を得ることができる。
【００２８】
［第１の実施態様］
本発明の第１の実施態様は、対象微生物Ｂの現状の活性を直接評価するものである。
第１の実施態様では、対象微生物Ｂを含む試料に対して電位掃引を行うことで、対象微生物Ｂの代謝による電子の発生を強制的に促し、その発生する電子量から測定前の対象微生物Ｂの活性を直接評価するものである。
【００２９】
微生物活性測定センサ１０を用い、対象微生物Ｂを通性嫌気性菌であるEscherichia coliとして、微生物活性の測定を行った。
試料調製は次のように行った。セル１１には、対象微生物Ｂと、メディエータＭとしてメチレンブルーを添加し、窒素置換を行って脱酸素状態とした。一方、セル１２には、メディエータＭ′としてフェリシアン化カリウムを添加した。
【００３０】
電極３１をアノード、電極３２をカソードとし、電気化学測定器４０としてポテンショスタットを用いて自然電位から０Ｖまで電位掃引してＬＳＶ測定を行った。自然電位とは、電流が流れていないときの電極間の電位差を指し、開回路電圧（Ｏｐｅｎ  Ｃｉｒｃｕｉｔ  Ｖｏｌｔａｇｅ：ＯＣＶ）とも呼ばれるものである。本実施態様においては、メディエータＭ及びＭ′間の電位差に起因する値となる。
図２は、ＬＳＶ測定から得られる電位−電流グラフである。対象微生物Ｂの生菌数が異なる試料についてＬＳＶ測定を行った結果を示している。
図２に示すように、ＬＳＶ測定で得られた電位−電流グラフの面積は、微生物の代謝活動によって発生した電子に基づく電子量とみなすことができ、生菌数の増加に伴い、電子量が増加することがわかる。すなわち、微生物の活性状態を電気化学的に直接測定することが可能であることが示された。
【００３１】
このとき、電位差が０となる点における応答電流の値を短絡電流（Ｓｈｏｒｔ  Ｃｉｒｃｕｉｔ  Ｃｕｒｒｅｎｔ：ＳＣＣ）値とし、生菌数との相関性について検討した。  図３及び図４は、生菌数とＳＣＣ値との関係を示したグラフである。図３は、対象微生物Ｂが通性嫌気性菌（Escherichia coli）の場合の結果である。また、図４は、対象微生物Ｂが好気性菌（Rhodococcus erythropolis）の場合の結果である。
図３及び図４に示すように、対象微生物Ｂが嫌気性菌、好気性菌のいずれであっても、生菌数とＳＣＣ値との間には一定の相関関係があることが示された。
よって、ＳＣＣ値が微生物活性を測るためのパラメータとして利用可能であることが示された。
【００３２】
本実施態様の演算処理部５０における解析としては、電気化学測定器４０で測定されたＳＣＣ値を用いた解析を行う。
解析は、測定したＳＣＣ値のうち、基準となる基準値を定め、その他のＳＣＣ値の測定値と比較を行うものとする。例えば、初期状態において測定したＳＣＣ値の初期値を基準値として、その後測定したＳＣＣ値の測定値と比較を行うものとする。このとき、ＳＣＣ値の初期値よりも測定値のほうが低くなっていれば、微生物活性が低下したものと判断する。これにより、演算処理部５０において簡便に微生物活性を判定することが可能となる。
また、演算処理部５０においては、あらかじめ測定した生菌数とＳＣＣ値の関係に基づいて、微生物の活性を判定することとしてもよい。
【００３３】
表示部６０では、演算処理部５０における判定結果として、ＳＣＣ値の測定値が基準値を下回り、微生物活性が十分ではないと判定した結果として、○×などの記号や緑・赤などの色を用いた画像を表示するものとする。あるいは、微生物の活性をＳＣＣ値から導かれる生菌数として表示するものとしてもよい。
【００３４】
［第２の実施態様］
本発明の第２の実施態様は、対象微生物Ｂが所定の有機物（代表基質）と反応する際の活性を評価するものである。
第２の実施態様においては、対象微生物Ｂが代謝によって一度電子を放出した後、所定の有機物（代表基質）に対しての対象微生物Ｂの応答を測定するものである。
第１の実施態様と異なる点は、電気化学計測器４０によって得られる電気化学的応答として、一度電極３１、３２間を短絡させた後、対象微生物Ｂの入っているセル１１に、有機物を添加した際のＯＣＶの経時変化を用いることである。
その他の測定条件、試料調製については第１の実施態様と同様である。
【００３５】
電極３１、３２間を短絡させることで、対象微生物Ｂに対して一度電子を放出させることができる。そのための手段としては、電極間を導線で直接つないで短絡させる他に、電気化学測定器４０としてポテンショスタットを用いてＯＣＶから０Ｖまで電位掃引してＬＳＶ測定を行うこととしてもよい。
その後、有機物をセル１１に添加して、電気化学測定器４０でＯＣＶの経時変化を測定する。
図５は、ＯＣＶ測定の経時変化を示す電位−時間グラフである。対象微生物Ｂが異なる試料についての結果を示しており、いずれも通性嫌気性菌（Escherichia coli）を対象微生物Ｂとしている。
図５に示すように、ＯＣＶ測定の経時変化を示す電位−時間グラフは、微生物によって異なる傾向を示し、有機物に対するそれぞれの微生物の応答の違いがＯＣＶ測定の経時変化を示す電位−時間グラフに表れることがわかる。すなわち、有機物に対する微生物の応答（活性）状態を電気化学的に測定することが可能であることが示された。このとき、ＯＣＶ測定の経時変化を示す電位−時間グラフの傾き（ＯＣＶ回復速度）を、有機物に対するそれぞれの微生物の反応の違い、すなわち有機物に対する微生物活性を測るためのパラメータの一つとする。
【００３６】
本実施態様の演算処理部５０における解析としては、電気化学測定器４０で測定されたＯＣＶ回復速度を用いた解析を行う。
ＯＣＶ回復速度は、微生物の種類及び生菌数、また有機物の種類及び濃度に応じて変化する。また、微生物の生菌数が多い、又は微生物に対する有機物の分解特性がよいほど、ＯＣＶ回復速度の値は大きくなる。すなわち、ＯＣＶ回復速度の値が高いほど、微生物活性が高いと考えることができる。
本実施態様の解析により、ＯＣＶ回復速度と微生物活性との間には一定の相関関係があることがわかった。この相関関係に基づき、演算処理部５０において微生物活性を判定することが可能となる。
【００３７】
表示部６０では、演算処理部５０における判定結果として、微生物の活性をＯＣＶ回復速度の値として表示する。あるいは、ＯＣＶ回復速度が所定の値を下回り、微生物活性が十分ではないと判定した結果として、○×などの記号や緑・赤などの色を用いた画像を表示するものとする。
【００３８】
また、対象微生物Ｂを一定とし、対象微生物Ｂの応答を判定したい有機物についての測定を行うことも可能である。特に、活性汚泥法による水処理において、処理効率向上を目的として活性汚泥中の微生物活性の回復に適した有機物を特定するために、本実施態様の微生物活性測定センサ及び微生物活性の評価方法を適用してもよい。
【００３９】
なお、上述した実施態様は微生物活性測定センサ及び微生物活性の評価方法の一例を示すものである。本発明に係る微生物活性測定センサ及び微生物活性の評価方法は、上述した実施態様に限られるものではなく、請求項に記載した要旨を変更しない範囲で、上述した実施態様に係る微生物活性測定センサ及び微生物活性の評価方法を変形してもよい。
【００４０】
例えば、本実施態様の微生物活性測定センサは、２電極式としているが、対極と参照極とを分けた３電極式としてもよい。
【００４１】
また、本実施態様の微生物活性の評価方法としては、電気化学測定器における検出感度を考慮して、試料調製工程の前に、微生物の濃縮処理又は希釈処理を行う工程を含むものであってもよい。
【産業上の利用可能性】
【００４２】
本発明の微生物活性測定センサ及び微生物活性の評価方法は、微生物の活性を直接測定することが可能なため、微生物の活性に応じて処理効率が変化する処理プロセスの維持管理に利用される。例えば、活性汚泥法による有機性排水処理における水質の維持管理のために利用される。
また、有機物に対する微生物の応答を評価することも可能であるため、例えば、活性汚泥法による有機性排水の処理効率を評価するだけではなく、活性汚泥中の微生物活性の回復に適した有機物の迅速な特定や、異常成分の混入による微生物の活性低下の検知に基づいた異常排水の検知などに利用することができる。
【符号の説明】
【００４３】
１０  微生物活性測定センサ、１１，１２  セル、２０  陽イオン交換膜、３１，３２  電極、４０  電気化学測定器、５０  演算処理部、６０  表示部、Ｂ  対象微生物、Ｍ，Ｍ′  メディエータ
【図１】
2019100910.tif 000003
【図２】
2019100910.tif 000004
【図３】
2019100910.tif 000005
【図４】
2019100910.tif 000006
【図５】
2019100910.tif 000007